(57)【特許請求の範囲】
【請求項１】
所定の厚み寸法の可撓性を備える略平板状の基板を折り曲げてそれぞれ形成される、略５５度の角度の傾斜面となる前面部と、該前面部の上下側にそれぞれ連接される後面部及び下面部と、前記前面部の両側にそれぞれ連接されて脚部の一部を構成する左側面部及び右側面部とを備え、
前記左側面部及び前記右側面部は、前記前面部に連接される斜辺がそれぞれ鉛直方向に対して略３５度の角度をなす略直角台形であり、
前記後面部は、左右両端部に上下方向のスリットにより区分けされる爪部が設けられ、前記各スリットの終端には、前記厚み寸法よりやや大きい径の略円形に中抜き形成された係合部が形成され、
前記左側面部及び前記右側面部は、平行する２側辺のうち前記後面部側に補強板を備え、該補強板には該補強板の短辺寸法の略１／２の寸法に細長く中抜き形成された被挿入部であって前記爪部を挿入可能な該被挿入部を備え、
前記各補強板を前記左側面部及び前記右側面部に対してそれぞれ略９０度の角度に互いに向き合う方向に起立させ、前記左側面部、前記右側面部及び前記各補強板を前記脚部とし、
前記後面部を前記前面部に対して折り返して形成するとともに、前記各爪部を前記各被挿入部に挿入し、前記係合部を前記被挿入部と容易に脱しない状態に係合させ、
前記下面部は前記前面部に対して略９０度の角度に起立させられ、前記前面部に立てかけられて面陳列される被陳列体の下端部を保持し、
前記前面部、前記後面部、前記左側面部及び前記右側面部により形成される空間に前記被陳列体と同種のものなどを配置可能であり、
前記左側面部、前記右側面部及び前記各補強板には宣伝広告などのための印刷を表示可能であり、
前記被陳列体として少なくとも書籍及び衣類のいずれかを陳列可能であることを特徴とする陳列具。
【発明の詳細な説明】
【技術分野】
【０００１】
本発明は、簡易に組み立て可能でありその組立て完成状態を安定的・継続的に保持することができる陳列具に関する。
【背景技術】
【０００２】
従来、書店などでは、Ａ４サイズをはじめ様々なサイズの書籍、雑誌、ＣＤ、ＤＶＤなどを展示する際に、同一種類（題号）の書籍などを複数冊、いわゆる平積みにして１ｍ〜数ｍにも及ぶ展示台などに載置している。そして、展示台の幅いっぱいに亘り、隣には異なる種類の書籍などが同様に平積みされていく。
また、上記のような複数種類の書籍などが平積みされている状態において、特定の雑誌などが平積みされている上部空間にその雑誌などのおもて表紙等を手前側に向けて斜めに目立つように面陳列して、顧客へ商品内容を明確に訴求する陳列具が使用されているが、この従来の陳列具は、手作りによる厚みのある樹脂製の完成型で書店などへ提供されていた。
【０００３】
関連技術として、設置場所を制限されることなく店舗の平台などの適宜な場所に設置可能で場所を制限されることがなく、運搬、集積等に場所をとらずこれらに要する費用ならびに製造コストも低廉である面陳列器具が提案されている。
その構成は、書籍、雑誌、ＣＤ、ＤＶＤ、ビデオカセット等の平板状の商品のおもて表面が見えるように面陳列でき組み立て折り畳みが自在な陳列器具であり、組み立て状態で、底板部と、被陳列物の寄りかかりを可能とするために底板部の後端から立ち上る斜面部と、この斜面部への被陳列物の寄りかかりを保持するために底板部の前縁に形成されるストッパー部と、陳列器具の正立を維持するために斜面部の両側端に形成した支脚部とを具えて折り曲げ・復元可能な樹脂材で一体平板状に形成し、各部の間に形成した谷折り又は山折りが可能な折曲手段により組み立て・折畳み自在にしたものである（特許文献１参照）。
【先行技術文献】
【特許文献】
【０００４】
【特許文献１】実用新案登録第３１６９１２８号公報
【発明の概要】
【発明が解決しようとする課題】
【０００５】
しかしながら、上記の従来の陳列具では、手作りであるので高コスト（種々のサイズに小回りよく対応し難く、特に、雑誌等の面陳列のためには大きな面積が必要となり材料費も高くなる。）となり、保管や配送の際に完成型であるので嵩張り、不便であった。また、完成型であるが、バランスが悪く不安定な形状であった。
低コストで消耗品扱いとすることができ、かつ、保管・配送の際には省スペースであり、組み立てが容易であり、その組立て完成状態をしっかりと安定的・継続的に保持することができ、さらに解体も容易であることが望ましい。
【０００６】
本発明の目的は、低コストであり、保管・配送の際には省スペースであり、簡易に組み立て可能であり、その組立て完成状態を安定的・継続的に保持することができ、さらに組立て完成状態からの解体も容易である陳列具を提供することにある。
【課題を解決するための手段】
【０００７】
本発明の陳列具は、
所定の厚み寸法の可撓性を備える略平板状の基板を折り曲げてそれぞれ形成される、略５５度の角度の傾斜面となる前面部と、該前面部の上下側にそれぞれ連接される後面部及び下面部と、前記前面部の両側にそれぞれ連接されて脚部の一部を構成する左側面部及び右側面部とを備え、
前記左側面部及び前記右側面部は、前記前面部に連接される斜辺がそれぞれ鉛直方向に対して略３５度の角度をなす略直角台形であり、
前記後面部は、左右両端部に上下方向のスリットにより区分けされる爪部が設けられ、前記各スリットの終端には、前記厚み寸法よりやや大きい径の略円形に中抜き形成された係合部が形成され、
前記左側面部及び前記右側面部は、平行する２側辺のうち前記後面部側に補強板を備え、該補強板には該補強板の短辺寸法の略１／２の寸法に細長く中抜き形成された被挿入部であって前記爪部を挿入可能な該被挿入部を備え、
前記各補強板を前記左側面部及び前記右側面部に対してそれぞれ略９０度の角度に互いに向き合う方向に起立させ、前記左側面部、前記右側面部及び前記各補強板を前記脚部とし、
前記後面部を前記前面部に対して折り返して形成するとともに、前記各爪部を前記各被挿入部に挿入し、前記係合部を前記被挿入部と容易に脱しない状態に係合させ、
前記下面部は前記前面部に対して略９０度の角度に起立させられ、前記前面部に立てかけられて面陳列される被陳列体の下端部を保持し、
前記前面部、前記後面部、前記左側面部及び前記右側面部により形成される空間に前記被陳列体と同種のものなどを配置可能であり、
前記左側面部、前記右側面部及び前記各補強板には宣伝広告などのための印刷を表示可能であり、
前記被陳列体として少なくとも書籍及び衣類のいずれかを陳列可能であることを特徴とする。
このように構成することにより、基板のみ（接着材などは不要）を折り曲げるという簡易な作業により、低コストであり、保管・配送の際には省スペースであり、また爪部と被挿入部により容易に脱しない状態に係合する（全体の曲げ特性や撓みに基づく）ので組み立て状態がしっかり固定されるとともに、接着材などは用いていないため解体の際、きれいに容易に元の状態に戻すことができるので、簡易に組み立て可能でありその組立て完成状態を安定的・継続的に保持することができ、さらに組立て完成状態からの解体も容易である陳列具を提供可能である。
また、組立て完成状態において前面部と略直角をなす下面部とすることにより、複数枚パンフレットなどの用紙の高さ位置が揃った状態で保持することができるとともに、所定の厚みを有する被陳列体の下端部を下面部に接触させた状態で被陳列体を後傾させることが可能となり、より安定的に保持することができる。さらに書店等への来客の目線が下向きになることに対して上方へ被陳列体を向けることで視認性が向上する。
【発明の効果】
【０００８】
本発明によれば、低コストであり、保管・配送の際には省スペースであり、簡易に組み立て可能であり、その組立て完成状態を安定的・継続的に保持することができ、さらに組立て完成状態からの解体も容易である陳列具を提供することができる。
【図面の簡単な説明】
【０００９】
【図１】本発明の実施の形態に係る陳列具の組立て用基板の展開図である。
【図２】本発明の実施の形態に係る陳列具の組み立て手順を説明する図である。
【図３】本発明の実施の形態に係る陳列具の組立て完成斜視図である。
【図４】本発明の実施の形態に係る陳列具の使用状態を示す斜視図である。
【図５】本発明の実施の形態に係る陳列具の正面図である。
【図６】本発明の実施の形態に係る陳列具の背面図である。
【図７】本発明の実施の形態に係る陳列具の左側面図である。
【図８】本発明の実施の形態に係る陳列具の平面図である。
【図９】本発明の実施の形態に係る陳列具の底面図である。
【発明を実施するための形態】
【００１０】
以下、本発明の実施の形態を図面を参照しつつ説明する。本実施形態の陳列具Ｍは、全体を折り曲げ・復元可能な樹脂、金属又は紙などの略Ｔ字状の平板に折曲線を設定して接着剤などの固定手段を使わずに、その形態を折り曲げ、切り込み線や中抜き部への所要部分の挿入固定により組立て完成状態を安定的・継続的に保持するように設定することが望ましい。すなわち、平板状のものを所定部分で折り曲げなどの作業により簡単に組み立てて陳列具Ｍを固定・強固に完成型で保持できるとともに保管・輸送、集積コストの低減や使用後の分解により簡単に平板状に復することができて良好な使い勝手を実現できる。
【００１１】
図１に示すように、組立て用基板Ｐは、透明の樹脂であるＰＥＴ（ポリエチレンテレフタラート）からなる平板略長方形状の組立て用基板であり、原後面部１１、原下面部１２、原前面部１３、原左側面部１５、原右側面部１６（以下、原左側面部１５及び原右側面部１６を総称して「原側面部１５、１６」という場合がある。）を有している。これらの原後面部１１、原下面部１２、原前面部１３、原側面部１５、１６は組み立て後に、後述するように後面部１１１、下面部１２１、前面部１３１、左側面部１５１、右側面部１６１をそれぞれ構成することとなる。なお、ＰＥＴは、リサイクル容易で、コスト低廉、軽量かつ可撓性を有するとの利点を有し、材料自体が地球環境に優しく、しかも美麗で高級感を醸し出すことができる。
【００１２】
組立て用基板Ｐは、厚み寸法が略０．２ｍｍ〜２．０ｍｍ程度（ここでは１．５ｍｍとする。）であり、原後面部１１の横幅及び高さの各寸法が、略２２０ｍｍ及び略１０５ｍｍであり、原下面部１２の横幅及び高さの各寸法が、略２２０ｍｍ及び略１３ｍｍであり、原前面部１３の横幅及び高さの各寸法が、略２２０ｍｍ及び略１０５ｍｍであり、原側面部１５、１６の横幅及び高さの各寸法が、略４１０ｍｍ及び略１６５ｍｍである。
【００１３】
略長方形状の原後面部１１の下端は、折曲線１２ａ部分で略長方形状の原前面部１３の上端とつながっており、原前面部１３の下端は折曲線１３ａ部分で略長方形状の原下面部１２の上端とつながっている。また、略長方形状の原前面部１３の左右両端は、折曲線１５ａ及び折曲線１６ａ部分で対象形状の原側面部１５、１６とつながっている。
各折曲線はプレスにより押圧薄部が点線状に形成されていて折り曲げが容易になっている。また、折曲部としての各折曲線は折り曲げが可能であればどのように形成されていてもよい。
本発明の陳列具は、
【００１４】
原後面部１１の両端部には端縁から略１３ｍｍ内側の位置に上下方向にほぼ沿って形成された略２５ｍｍのスリット（切込み）により区分けされる、爪部１１ａ、１１ｂが設けられている。当該スリットの下端（終端）には、好適には透明ＰＥＴの厚さ寸法よりやや大きいその数倍程度の径（ここでは５ｍｍとする。）の略円形に中抜き形成された係合部１４ａ、１４ｂが形成されている。爪部１１ａ、１１ｂの横幅及び高さの各寸法が、略１３ｍｍ及び略２５ｍｍである。
【００１５】
また、原左側面部１５は略台形状であり、外側が略３５度の角度で下方に向かっている。原左側面部１５の上端は、折曲線１５ｂ部分で略台形状の補強板部１５ｃの下端とつながっており、原左側面部１５の下端は折曲線１５ｅ部分で略台形状の補強板部１５ｆの上端とつながっている。補強板部１５ｃの横幅及び高さの各寸法が、略４１０ｍｍ及び略３０ｍｍであり、補強板部１５ｆの横幅及び高さの各寸法が、略１７０ｍｍ及び略１０ｍｍである。
補強板部１５ｃの原前面部１３よりの端部から略８０ｍｍの位置に上下方向にほぼ沿って細長く縦横の寸法はそれぞれ略、縦１５ｍｍ、横３ｍｍに中抜き（スリットを含む。）された爪部１１ａを組み立て時に挿入可能な被挿入部１５ｄが形成されている。被挿入部１５ｄの縦寸法は、補強板部１５ｃの高さ寸法の略１／２であり、挿入のし易さや、抜けにくさ、強度の面から最適な割合が採用されている。
【００１６】
また、原右側面部１６は略台形状であり、外側が略３５度の角度で下方に向かっている。原右側面部１６の上端は、折曲線１６ｂ部分で略台形状の補強板部１６ｃの下端とつながっており、原右側面部１６の下端は折曲線１６ｅ部分で略台形状の補強板部１６ｆの上端とつながっている。補強板部１６ｃの横幅及び高さの各寸法が、略４１０ｍｍ及び略３０ｍｍであり、補強板部１６ｆの横幅及び高さの各寸法が、略１７０ｍｍ及び略１０ｍｍである。
補強板部１６ｃの原前面部１３よりの端部から略８０ｍｍの位置に上下方向にほぼ沿って細長く縦横の寸法はそれぞれ略、縦１５ｍｍ、横３ｍｍに中抜き（スリットを含む。）された爪部１１ｂを組み立て時に挿入可能な被挿入部１６ｄが形成されている。
【００１７】
本実施の形態における、陳列具Ｍのサイズの場合、原前面部１３・原下面部１２などにより実現される面陳列機構により、例えば、Ａ４サイズの書籍などがコンパクトに保持・陳列できるとともに、下部の空間にそれらの書籍などを収納することができる。また、組立て用基板Ｐを郵送等により多数のユーザに配送したり保管する際に、そのままの形態で又は２つ折り・３つ折りなどによりコンパクトに取り扱いの便宜が図られ、コストの低減も図られる。
【００１８】
次に、図１及び図２等を参照しながら、組立て用基板Ｐを組み立てて陳列具Ｍを完成する手順を説明する。なお、山折り、谷折り等は、図１を上面図とした場合における方向を前提とする。
まず、組立て用基板Ｐの傷防止用フィルムを剥がす。そして、組立て用基板Ｐの折曲線１５ｂ及び折曲線１６ｂに沿って谷折りし、それぞれ原側面部１５、１６に対して補強板部１５ｃ、補強板部１６ｃを略９０度の角度に起立させる。
一方、組立て用基板Ｐの折曲線１５ｅ及び折曲線１６ｅに沿って谷折りし、それぞれ原側面部１５、１６に対して補強板部１５ｆ、補強板部１６ｆを略１８０度の角度に折り返す。
【００１９】
さらに、組立て用基板Ｐの折曲線１５ａ及び折曲線１６ａに沿って谷折りし、原前面部１３に対して原左側面部１５と原右側面部１６を略９０度の角度に起立させ平面視において略コ字状とする。
【００２０】
この時点で、原左側面部１５と原右側面部１６の下端部を載置台等に接触させて脚部（スタンド）として機能させて起立状態とすることができる。補強板部１５ｃ、補強板部１５ｆ、補強板部１６ｃ、補強板部１６ｆにより、一層、安定的に起立状態とすることができる。
そして、さらに、組立て用基板Ｐの折曲線１２ａに沿って谷折りし、原前面部１３に対して原後面部１１を略１４５度の角度に折り返すとともに、爪部１１ａを被挿入部１５ｄに最深部まで挿入し、係合部１４ａが被挿入部１５ｄと容易に脱しない状態に「パチッ」と咬み合って係合するようにし、また、爪部１１ｂを被挿入部１６ｄに最深部まで挿入し、係合部１４ｂが被挿入部１６ｄと容易に脱しない状態に「パチッ」と咬み合って係合するようにする。これらにより、陳列具Ｍの組立て完成状態が容易に崩れないように安定的・継続的に保持することを可能としている。
【００２１】
最後に、組立て用基板Ｐの折曲線１３ａに沿って山折りし、原前面部１３に対して原下面部１２を略９０度の角度に起立させ、ＰＥＴの撓み・曲げ特性により所定の重量以下の負荷（書籍等の重み）が加えられた場合であっても略Ｌ字状（略９０度の角度）が保持される受板として機能する。
【００２２】
図３（図５〜図１０も参照。）に示すように、組立て完成状態の陳列具Ｍは、ＰＥＴからなる板材を折り曲げて後面部１１１、下面部１２１、前面部１３１、側面部１５１、１６１が一体に形成されている。
前面部１３１は、原側面部１５、１６の形状に基づいて、正立（垂直状態）から角度略５５度ほどの傾斜面となっている。この傾斜面と下面部１２１により雑誌などを載置して面陳列することができることとなる。
【００２３】
側面部１５１、１６１と上記爪部・被挿入部を介して連結される後面部１１１が支脚部として機能して、自陳列具Ｍの起立を安定的に維持する。また、補強板部１５ｃ、補強板部１５ｆ、補強板部１６ｃ、補強板部１６ｆにより、一層、安定的に起立状態を維持する。
【００２４】
陳列具Ｍの後面部１１１、前面部１３１、側面部１５１、１６１により形成される空間（下部空間）に前方から被陳列体Ｂと同種のものなどを挿し入れて平積み状態として収納・配置することができる。
【００２５】
図４は、陳列具Ｍにより被陳列体Ｂを前面部１３１・下面部１２１に立てかけさせておもて表紙を前面にして面陳列させて保持しつつ、上記の下部空間に被陳列体Ｂを平積み状態として収納した状態を示す図である。被陳列体Ｂとしては、例えば、書籍（Ａ４、Ａ５、Ｂ５、Ｂ６等）、パンフレット（Ａ４等）、リーフレット類を広く含み、さらに、レシピカードを含む各種カード・葉書・案内書・カタログあるいは薄型板状の電子機器・化粧品・小物商品などの他、Ｔシャツなどの衣類・身の回り品（畳んだ状態など）を広く含む。ここではＡ４サイズの書籍として図４に示す。
【００２６】
被陳列体Ｂの底部と陳列具Ｍの下面部１２１はほとんど密着している。また、被陳列体Ｂの展示面に対向する背面部は陳列具Ｍの前面部１３１に沿って密着しているか、あるいはわずかな隙間が生じているに過ぎない状態となる。なお、陳列具Ｍの前面部１３１の傾斜に導かれて被陳列体Ｂの展示面もやや上方に向くこととなる。
【００２７】
陳列具Ｍは、例えば、書店などにおける書籍等の陳列台・陳列棚やカウンターなどに設置されてよく、また、洋品店などにおける洋服等の陳列台・陳列棚やカウンターなどに設置されてもよい。
【００２８】
上記のような構成により、簡易に安定した形態の、陳列具Ｍを提供することができる。また、使用後の陳列具Ｍの解体・分解も容易に行うことができ、低コストであるので、従来の陳列具のように使い回しすることなく、消耗品として気軽に扱うこともできる。すなわち、低コストであり、保管・配送の際には省スペースであり、簡易に組み立て可能でありその組立て完成状態を安定的・継続的に保持することができ、さらに組立て完成状態からの解体も容易である陳列具を提供することとなる。
【００２９】
また、本実施の形態によれば、書店などで、展示台の幅いっぱいに亘り、隣には異なる種類の書籍などが同様に平積みされている状態で、特定の雑誌などを目立たせて展示したい等の場合には、下部空間において平積み状態を維持したまま、それよりも上部の空間にその雑誌などのおもて表紙等を手前側に向けて斜めに目立つように面陳列して、顧客へ商品内容を明確に訴求することができる。このようにすることで、平積みされた状態の一番上の雑誌等が顧客の試し読み等により繰り返し、取り出されることにより汚れや・乱雑な状態となることを回避することもできる。
【００３０】
[その他の変形例]
陳列具Ｍの側面部１５１、１６１等に印刷（名入れ）や紙等による文字、図形等の表示を行い宣伝広告等に用いることであってもよい。ＰＥＴであるので簡単にフルカラー印刷が可能である。また、側面部１５１、１６１等の内側（下部空間内）に広告用紙を立てかけたり、貼付等することで広告が表示されることであってもよい。さらに、側面部１５１、１６１等の表面に直接、広告用紙を貼付等することで広告が表示されることであってもよい。
これにより、商品としての被陳列体Ｂの訴求性を高めることができる。
上記の各実施の形態では、陳列具Ｍは、全体を透明の樹脂材であるＰＥＴにより形成しているが、少なくとも一部分を着色や不透明の材料で形成することはもちろん、紙材等、公知の任意の材料で形成することであってもよい。可撓性平板としては、厚み寸法が略０．２ｍｍ〜２．０ｍｍであることが好適である。これにより、折り曲げが容易となることに加えて、板状体が所定のサイズの場合に、曲げ特性・撓み具合と相まって実現される組立て時の容易性、形態保持力等から、陳列具Ｍを板状体から形成することができる。
上記の各実施の形態では、陳列具Ｍは、基本的には一枚のＰＥＴを折り曲げることにより形成しているが、陳列具Ｍが後面部、下面部、前面部、側面部等を備えるということは、一枚板の折り曲げによる構成のみを意味するのでなく、別個の各部材（平板に限らなく凹凸がある部材を広く含む）を適宜に連接固定して形成されるもの等を包含するものであることは言うまでもない。
上記の各実施の形態における、陳列具Ｍの後面部、下面部、前面部、側面部等は、任意の数、位置、形状等に形成されることであってよい。
【００３１】
その他、一々例示はしないが、本発明は、その趣旨を逸脱しない範囲内において、各構成部分の大きさや形状を含む種々の変更が加えられて実施されてよい。
【符号の説明】
【００３２】
Ｍ                陳列具
Ｐ                組立て用基板
１１              原後面部
（組み立て前の後面部）
１２              原下面部
（組み立て前の下面部）
１３              原前面部
（組み立て前の前面部）
１４ａ、１４ｂ    係合部
１５、１６        原側面部
（組み立て前の側面部）
１１１            後面部
１２１            下面部
１３１            前面部
１５１、１６１    側面部
【要約】      （修正有）【課題】低コスト、省スペース、簡易に組み立て可能であり、完成状態を安定的・継続的に保持することができ、解体も容易である陳列具を提供する。【解決手段】陳列具Ｍは、略平板状の基板を折り曲げて形成される前面部、後面部、下面部と左側面部及び右側面部とを備え、左右側面部は前面部の両側に対称形状に外側が略３５度の角度で下方に向かう略台形であり、後面部は両端部に爪部が設けられ、左右側面部に備えた補強板には爪部を挿入可能な被挿入部を備え、左右側面部及び各補強板を脚部とし、後面部を前面部に対して折り返し、爪部を各被挿入部に挿入し、下面部を起立させ、被陳列体を保持させ、前面部、後面部、左右側面部により形成される空間に被陳列体と同種のものなどを配置可能であり、左右側面部、補強板に宣伝広告などの表示体を表示可能であり、被陳列体として少なくとも書籍及び衣類のいずれかを陳列可能である。【選択図】図４【図１】
0005430045.tif 000002
【図２】
0005430045.tif 000003
【図３】
0005430045.tif 000004
【図４】
0005430045.tif 000005
【図５】
0005430045.tif 000006
【図６】
0005430045.tif 000007
【図７】
0005430045.tif 000008
【図８】
0005430045.tif 000009
【図９】
0005430045.tif 000010